(57)【特許請求の範囲】
【請求項１】
標準モードのための標準コネクタを利用して第一の機器を第二の機器に接続するステップであって、前記標準コネクタは前記第一の機器と第二の機器との間の信号伝送に用いる複数のピンを含み、前記複数のピンは電源線のための第一のピン、前記標準コネクタを識別するための第二のピン、第一のデータピン、第二のデータピン、及びグランドピンを含むようなステップと、
前記第二の機器が前記標準モードで動作しているか、代替モードで動作しているかを検出するステップであって、前記標準モードでは第一のプロトコルに従った第一のタイプのデータ信号の伝送が行われれ、前記代替モードでは第二のプロトコルに従った第二のタイプのデータ信号の伝送が行われ、前記第二のタイプのデータ信号は差動データ信号を含むようなステップと、
前記第二の機器が前記標準モードで動作していることを検出したところで、前記標準コネクタの前記複数のピンを通じて、前記第一のプロトコルに従って、前記第一のタイプのデータ信号を送信または受信するステップと、
前記第二の機器が前記代替モードで動作していることを検出したところで、前記標準コネクタの１つまたはそれ以上のピンを前記代替モード用に切り替え、前記標準コネクタの前記複数のピンを通じて、前記第二のプロトコルに従って、前記第二のタイプのデータ信号を送信または受信するステップと、を含む方法。
【請求項２】
前記代替モードのための、前記標準コネクタのピンの切り換えは、前記第一のピンに、電源線としての機能に加え、クロック信号を伝送するために前記電源線上を流れる信号を変調する機能を持たせる切り換えを含む、請求項１に記載の方法。
【請求項３】
前記差動データ信号を、前記第一のピン及び前記第二のピンを通じて送信または受信する請求項１に記載の方法。
【請求項４】
前記第二のタイプのデータ信号は、前記差動データ信号に追加して乗せて伝送されるコモンモード信号を含む、請求項３に記載の方法。
【請求項５】
前記コモンモード信号はクロック信号である、請求項４に記載の方法。
【請求項６】
前記コモンモード信号はコントロールバス信号である、請求項４に記載の方法。
【請求項７】
前記電源線は電源、バッテリ充電電流またはその両方を提供する、請求項３に記載の方法。
【請求項８】
クロック信号は、前記電源線で電源信号を変調することによって伝送される、請求項７に記載の方法。
【請求項９】
前記第二のタイプのデータ信号は、前記第二のピンと前記グランドピンを通じて伝送される、請求項３に記載の方法。
【請求項１０】
前記第二のタイプのデータ信号は第二の差動データ信号である、請求項９に記載の方法。
【請求項１１】
前記第二のタイプのデータ信号は、前記第二の差動信号に乗せて伝送される第二のコモンモード信号を含む、請求項１０に記載の方法。
【請求項１２】
前記第二のコモンモード信号はクロック信号である、請求項１１に記載の方法。
【請求項１３】
前記標準コネクタの前記ピンを切り替えるステップは、アナログスイッチに対して、前記標準コネクタに接続された線を、前記代替モードをサポートするように切り替えるように命令するステップを含む、請求項１に記載の方法。
【請求項１４】
第三のモードに切り替えるステップと、前記標準コネクタの前記ピンを前記第三のモード用に切り替えるステップをさらに含む、請求項１に記載の方法。
【請求項１５】
前記標準モードはＵＳＢ（Ｕｎｖｉｅｒｓａｌ  Ｓｅｒｉａｌ  Ｂｕｓ）モードである、請求項１に記載の方法。
【請求項１６】
前記代替モードは高解像度映像モードである、請求項１５に記載の方法。
【請求項１７】
装置であって、
標準コネクタのためのインタフェースを備え、前記装置は前記インタフェースを複数の線のために利用し、前記装置は前記インタフェースを通じて前記装置に接続された第二の装置の動作の伝送モードを検出することになっており、
前記標準コネクタは信号伝送に用いる複数のピンを含み、前記複数のピンは電源線のための第一のピン、前記標準コネクタを識別するための第二のピン、第一のデータピン、第二のデータピン、及びグランドピンを含み、
前記インタフェースを複数の伝送モード間で切り替えるためのスイッチを備え、前記複数の伝送モードは標準モードと代替モードを含み、前記スイッチは前記標準モードと前記代替モードをサポートするために、前記複数の線の１つまたはそれ以上の接続を切り替え、前記装置は、前記第二の装置について前記代替モードが検出された場合に、前記代替モードに自動的に切り替わり、
前記標準モードでは、第一のプロトコルに従って第一のタイプのデータ信号を送信または受信し、
前記代替モードでは、第二のプロトコルに従って第二のタイプのデータ信号を送信または受信し、
前記第二のタイプのデータ信号は差動データ信号を含む、装置。
【請求項１８】
前記伝送モードの少なくとも１つにおいて、前記線で複数の信号を伝送するための送信機または受信機をさらに備える、請求項１７に記載の装置。
【請求項１９】
前記代替モードのための、前記標準コネクタのピンの切り換えは、前記第一のピンに、電源線としての機能に加え、クロック信号を伝送するために前記電源線上を流れる信号を変調する機能を持たせる切り換えを含む、請求項１７に記載の装置。
【請求項２０】
前記代替モードにおける前記差動データ信号は、前記第一のデータピンと前記第二のデータピンを通じて送信または受信される第一の差動データ信号を含む請求項１９に記載の装置。
【請求項２１】
前記代替モードにおける信号は、前記第一の差動データ信号に追加して乗せて送信される第一のコモンモード信号を含む、請求項２０に記載の装置。
【請求項２２】
前記第一のコモンモード信号はクロック信号である、請求項２１に記載の装置。
【請求項２３】
前記第一のコモンモード信号はコントロールバス信号である、請求項２１に記載の装置。
【請求項２４】
クロック信号は、前記第一のピンにおいて電源信号を変調することによって、前記第一のピンを通じて伝送される、請求項１９に記載の装置。
【請求項２５】
第二の信号は、前記第二のピンと前記グランドピンを通じて伝送される、請求項２４に記載の装置。
【請求項２６】
前記第二の信号は第二の差動データ信号である、請求項２５に記載の装置。
【請求項２７】
第二のコモンモード信号は前記第二の差動信号に乗せて伝送される、請求項２６に記載の装置。
【請求項２８】
前記第二のコモンモード信号はクロック信号である、請求項２７に記載の装置。
【請求項２９】
前記標準コネクタはシェルをさらに備え、前記代替モードにおいて、前記シェルはグランド接続として利用され、前記グランドピンは信号伝送に利用され、第二の信号は、前記第二のピンと前記グランドピンを通じて伝送される、請求項１７に記載の装置。
【請求項３０】
前記標準コネクタはマイクロＵＳＢ（Ｕｎｉｖｅｒｓａｌ  Ｓｅｒｉａｌ  Ｂｕｓ）コネクタであり、第一の前記代替モードはＵＳＢモードである、請求項１７に記載の装置。
【請求項３１】
第二の前記代替モードは高解像度モードであり、前記装置は、第二の前記代替モードにおいて前記複数の線で高解像度映像コンテンツを送信または受信することになっている、請求項３０に記載の装置。
【請求項３２】
データを受信する受信機器であって、インタフェースのための第一のソケットを含み、前記インタフェースは複数の線を含む受信機器と、
前記受信機器に複数の信号を伝送する送信機器であって、前記インタフェースを通じて前記受信機器と接続するための第二のソケットを含む送信機器と、
を備えるシステムであって、
前記第一のソケット又は前記第二のソケットは、標準モードのための標準コネクタであり、前記第一のソケット又は前記第二のソケットは、信号伝送に用いる複数のピンを含み、前記複数のピンは電源線のための第一のピン、前記標準コネクタを識別するための第二のピン、第一のデータピン、第二のデータピン、及びグランドピンを含み、前記電源線は標準モードにおいて電源及びバッテリ充電電流のいずれか１つ以上を提供し、
前記受信機器、前記送信機器、または前記受信機器と前記送信機器の両方は、前記インタフェースを複数の伝送モードの間で切り替えるためのスイッチを含み、前記複数の伝送モードは前記標準モードと代替モードを含み、前記スイッチは、前記標準モードと前記代替モードをサポートするために、前記複数の線の１つまたはそれ以上の接続を切り替え、前記受信機器または送信機器は、相手の機器について前記代替モードが検出されたところで、前記代替モードに自動的に切り替わり、
前記標準モードでは、第一のプロトコルに従って第一のタイプのデータ信号を送信または受信し、
前記代替モードでは、第二のプロトコルに従って第二のタイプのデータ信号を送信または受信し、
前記第二のタイプのデータ信号は差動データ信号を含む、システム。
【請求項３３】
前記第一のソケットまたは前記第二のソケットは標準ソケットであり、前記標準ソケットは、前記代替モードでデータを伝送するために再利用される１つまたはそれ以上のピンを含む、請求項３２に記載のシステム。
【請求項３４】
前記第一のデータピン及び前記第二のデータピンは、前記代替モードにおいて、差動データ信号の伝送に再利用され、コモンモード信号が前記差動データ信号に追加して乗せて伝送される、請求項３３に記載のシステム。
【請求項３５】
前記コモンモード信号は、クロック信号またはコントロールバス信号の一方である、請求項３４に記載のシステム。
【請求項３６】
前記第一のピンは、電源線としての機能に加え、前記第一のピン上で電源信号を変調することによってクロック信号を伝送するために再利用される、請求項３３に記載のシステム。
【請求項３７】
前記第二のピンと前記グランドピンは、前記第二のピンと前記グランドピンに印加される第二の差動信号の伝送のために再利用される、請求項３３に記載のシステム。
【請求項３８】
前記第一のソケットは前記標準ソケットであり、前記第一のソケットは、ＵＳＢ（Ｕｎｉｖｅｒｓａｌ  Ｓｅｒｉａｌ  Ｂｕｓ）（登録商標）プロトコルに対応するソケットである、請求項３３に記載のシステム。
【請求項３９】
前記第二のソケットは前記標準ソケットであり、前記第二のソケットは、ＨＤＭＩ（Ｈｉｇｈ−Ｄｅｆｉｎｉｔｉｏｎ  Ｍｕｌｔｉｍｅｄｉａ  Ｉｎｔｅｒｆａｃｅ）（登録商標）に対応するソケットである、請求項３３に記載のシステム。
【請求項４０】
ケーブルをさらに備え、前記ケーブルは、前記第一のソケットに対応する第一のコネクタと、前記第二のソケットに対応する第二のコネクタを含む、請求項３３に記載のシステム。
【請求項４１】
複数の線で第二の装置とインタフェースする手段であって、標準モードのための標準コネクタを備え、前記標準コネクタは信号伝送に用いる複数のピンを含み、前記複数のピンは電源線のための第一のピン、前記標準コネクタを識別するための第二のピン、第一のデータピン、第二のデータピン、及びグランドピンを含み、
前記第二の装置の伝送モードを検出する手段であって、前記伝送は前記標準モードと代替モードを含む複数の伝送モードのうちの１つであるような手段と、
前記第二の装置についての前記検出された伝送モードに基づいて、前記標準モードと前記代替モードをサポートするために、前記複数の線のための１つまたはそれ以上の接続を自動的に切り替える手段と、を備え、
前記標準モードでは、第一のプロトコルに従って第一のタイプのデータ信号を送信または受信し、
前記代替モードでは、第二のプロトコルに従って第二のタイプのデータ信号を送信または受信し、
前記第二のタイプのデータ信号は差動データ信号を含む、装置。
【発明の詳細な説明】
【技術分野】
【０００１】
本発明の実施形態は一般に、電子機器、より詳しくは、標準機器コネクタで代替コンテンツを伝送する方法と装置に関する。
【０００２】
（関連出願の相互参照）
本特許出願は、２００８年１０月３１日出願の米国仮特許出願第６１／１１０，３２６号明細書に関連し、その優先権を主張する。
【背景技術】
【０００３】
ますます多様化した機器が、映像と音声の保存、伝送および提示またはレンダリング等のデータ関連機能に利用されている。一例として、ＨＤＭＩTM（Ｈｉｇｈ−Ｄｅｆｉｎｉｔｉｏｎ  Ｍｕｌｔｉｍｅｄｉａ  Ｉｎｔｅｒｆａｃｅ）は、非圧縮デジタル形式の高解像度映像および音声を、関連する制御信号とともに伝送できるようにするインタフェースを提供する。（ＨＤＭＩはＨＤＭＩ  Ｌｉｃｅｎｓｉｎｇ，ＬＬＣの商標である。）ＨＤＭＩには、Ｈｉｇｈ−Ｄｅｆｉｎｉｔｉｏｎ  Ｍｕｌｔｉｍｅｄｉａ  Ｉｎｔｅｒｆａｃｅ  １．３（株式会社日立製作所、松下電器産業株式会社、Ｐｈｉｌｉｐｓ  Ｃｏｎｓｕｍｅｒ  Ｅｌｅｃｔｒｏｎｉｃｓ，Ｉｎｔｅｒｎａｔｉｏｎａｌ  Ｂ．Ｖ．、Ｓｉｌｉｃｏｎ  Ｉｍａｇｅ，Ｉｎｃ．、ソニー株式会社、Ｔｈｏｍｓｏｎ  Ｉｎｃ．および株式会社東芝）（２００６年６月２２日）および、ＨＤＭＩの上記より前または後のバージョンが含まれる。ＨＤＭＩは、映像データだけを含むＤＶＩ（Ｄｉｇｉｔａｌ  Ｖｉｄｅｏ  Ｉｎｔｅｒｆａｃｅ）と上位および下位の両方向の互換性を有する。ＨＤＭＩは基本的にＤＶＩの改良版であり、同じ映像コンテンツに、映像データのバーストとバーストの間のギャップ、すなわちブランキング時間にマルチチャネルの音声およびステータスデータコンテンツを追加したものを含む。さらに、ＭＨＬTM（Ｍｏｂｉｌｅ  Ｈｉｇｈ−Ｄｅｆｉｎｉｔｉｏｎ  ＬｉｎｋTM）は、携帯型電子機器を他の機器に接続するための音声／映像インタフェースを提供し、複数のデータ信号の多重化を通じて、より少ないピンのコネクタを利用したＨＤＭＩ情報の伝送を可能にするもので、別のクロックを必要とせずにＨＤＭＩデータの３レーンを多重化データの１レーンに統合する。携帯ＭＨＬ機器はたとえば、たとえばテレビ、ビデオモニタまたはプロジェクタを含む提示またはレンダリング機器と直接接続することが可能である。通信要素のためのプロトコルには、ＭＨＬ技術が含まれていてもよい。
【０００４】
コンテンツの保存、伝送および提示に関して使用される機器には、マルチメディアデータを提供、保存または提示できるいかなる機器が含まれていてもよく、たとえば、テレビ、ビデオモニタ、プロジェクタ、有線および衛星放送用セットトップボックス、ＤＶＤ（Ｄｉｇｉｔａｌ  Ｖｅｒｓａｔｉｌｅ  Ｄｉｓｋ）とＢｌｕ−Ｒａｙプレイヤ等のビデオプレイヤ、オーディオプレイヤ、デジタルビデオレコーダ、スマートフォン、ＭＩＤ（Ｍｏｂｉｌｅ  Ｉｎｔｅｒｎｅｔ  Ｄｅｖｉｃｅ）、ＰＩＤ（Ｐｅｒｓｏｎａｌ  Ｉｎｔｅｒｎｅｔ  Ｄｅｖｉｃｅ）、ノートブックコンピュータとネットブックを含むコンピュータおよびその他同様の機器がある。ＨＤＭＩとＭＨＬ機器は、ＴＭＤＳTM（Ｔｒａｎｓｉｔｉｏｎ  Ｍｉｎｉｍｉｚｅｄ  Ｄｉｆｆｅｒｅｎｔｉａｌ  Ｓｉｇｎａｌｉｎｇ）技術を利用する。ＴＭＤＳ符号化は、ＴＭＤＳの１データチャネルごとに８ビットを１０ビットのＤＣバランスのとれた遷移時間最短シーケンスに変換するもので、このシーケンスはその後、ＴＭＤＳクロック期間あたり１０ビットの速度で、ペア間で逐次的に伝送される。ＨＤＭＩ接続は、ソース機器とシンク機器の間の構成およびステータス交換のためのＤＤＣ（Ｄｉｓｐｌａｙ  Ｄａｔａ  Ｃｈａｎｎｅｌ）、およびユーザ環境における音声映像製品の間の高レベルの制御機能を提供する任意のＣＥＣ（Ｃｏｎｓｕｍｅｒ  Ｅｌｅｃｔｒｏｎｉｃｓ  Ｃｏｎｔｒｏｌ）プロトコルを含んでいてもよく、ＭＨＬ接続には、多重化された制御信号を伝送するコントロールバスを含んでいてもよい。
【発明の概要】
【発明が解決しようとする課題】
【０００５】
電子機器はデータ伝送のためのさまざまなインタフェースを含んでいてもよいが、より小型の機器は、物理的な大きさから、接続に関しては制約があるかもしれない。たとえば、特定の携帯機器やその他のより小型の機器は、ＵＳＢプロトコルに対応するマイクロＵＳＢTM（Ｕｎｉｖｅｒｓａｌ  Ｓｅｒｉａｌ  Ｂｕｓ）、ミニＵＳＢまたは標準ＵＳＢコネクタ（またはソケット）またはこれらと同様の、スペースが限定されたコネクタを利用しているかもしれない。利用できる接続の種類が限られていることにより、高解像度データ伝送が複雑になるかもしれない。
【課題を解決するための手段】
【０００６】
本発明の実施形態は一般に、標準機器コネクタでの代替コンテンツの伝送に関する。
【０００７】
本発明の第一の態様において、方法は、標準コネクタを利用して第一の機器を第二の機器に接続するステップであって、コネクタは複数のピンを含むようなステップと、第二の機器が標準モードで動作しているか、または代替モードで動作しているかを検出するステップと、を含む。第二の機器が代替モードで動作していれば、標準コネクタの１つまたはそれ以上のピンを代替モード用に切り替え、標準コネクタのこの複数のピンを通じて、代替モードのための信号を送信または受信する。
【０００８】
本発明の第二の態様において、装置は、標準コネクタのためのインタフェースを備え、装置は、インタフェースを複数の線のために利用することになっており、装置はインタフェースを通じて装置に接続された第二の装置の動作の伝送モードを検出することになっている。装置は、インタフェースを複数の伝送モードの間で切り替えるスイッチをさらに備え、複数の伝送モードは第一のモードと第二のモードを含み、スイッチは、第一のモードと第二のモードをサポートするために、線のための１つまたはそれ以上の接続を切り替え、装置は、第二の装置について第二のモードが検出されると、自動的に第二のモードに切り替わる。
【０００９】
本発明の実施形態が、限定するためではなく、例示のために、添付の図面の図表に描かれており、図中、同様の参照番号は同様の要素を示す。
【図面の簡単な説明】
【００１０】
【図１】標準コネクタとの接続として考えられるものの、ある実施形態の図である。
【図２】標準コネクタを有する受信機器のための接続の、ある実施形態の図である。
【図３】マイクロＵＳＢコネクタのための高解像度データのマッピングの、ある実施形態を示す。
【図４】ＨＤＭＩ、ＭＨＬおよびマイクロＵＳＢ／ＭＨＬの間のデータマッピングの、ある実施形態を示す。
【図５】クロック信号を利用した信号のマッピングの、ある実施形態の図である。
【図６】別のシェルを含むコネクタのための高解像度モードとＵＳＢモードの、ある実施形態の図である。
【図７】ＵＳＢ接続とＨＤＭＩ接続の間の信号伝送の、ある実施形態の図である。
【図８】複数の接続モードから１つのモードを選択するスイッチを有する機器の、ある実施形態の図である。
【図９】データを受信機器へと送信する送信機器のための接続の、ある実施形態の図である。
【図１０】送信機器からのデータを受信する受信機器のための接続の、ある実施形態の図である。
【図１１】信号伝送のためのシステムの、ある実施形態を説明するフローチャートである。
【発明を実施するための形態】
【００１１】
本発明の実施形態は一般に、標準機器コネクタでの代替コンテンツの伝送に関する。
【００１２】
本明細書において：
「モバイル機器」とは、あらゆるモバイル電子機器を意味する。「モバイル機器」という用語は、携帯電話、スマートフォン、ＰＤＡ（携帯情報端末）、ＭＰ３またはその他のフォーマットのミュージックプレイヤ、デジタルカメラ、ビデオレコーダ、デジタル記憶機器およびその他同様の機器を含み、これらに限定されない。
【００１３】
いくつかの実施形態において、装置、システムまたは方法は、既存のコネクタでの代替コンテンツの伝送、たとえば既存の接続での高解像度映像および音声コンテンツの伝送等を提供する。いくつかの実施形態において、システムまたは方法は、従来のデータと代替シリアルデータの両方のための接続を提供するための複数のモードを提供する。いくつかの実施形態において、システムは、代替コンテンツの伝送を可能にするために、既存の接続またはピンの再利用を提供する。（本明細書において、接続要素は、コネクタを嵌め込むコネクタまたはソケットと呼ばれることがあるが、これらの用語は互換的であり、いずれの用語もある装置のための一般的な接続要素を意味するものとする。）
【００１４】
ある特定の実施形態において、機器間で伝送される代替データは、マルチメディアデータとそれに関連する命令であってもよく、これにはＨＤＭＩデータと命令が含まれる。たとえば、高解像度映像および音声データとこれに関連する命令を含むモバイル機器が、標準的なＨＤＭＩ機器（たとえば、テレビ、ビデオモニタ、プロジェクタまたはその他のデータ提示機器等）に接続されてもよい。しかしながら、本発明の実施形態は、データまたは機器のいずれの特定の種類にも限定されない。
【００１５】
いくつかの実施形態において、機器は、ＭＨＬデータ接続を利用するモバイル機器である。本発明の実施形態はいずれの特定の技術にも限定されないが、ＭＨＬはソースとシンクの間で音声、映像および補助データを伝送する５または６ピンのインタフェースを利用してもよい。いくつかの実施形態において、ＭＨＬデータはデータ信号を標準コネクタにリマッピングすることによって、標準または従来のコネクタを通じて伝送されてもよい。いくつかの実施形態において、電源および／またはバッテリ充電電流が、ＭＨＬケーブルを通じてモバイル機器に連結された提示またはレンダリング機器からモバイル機器に（ＶＢＵＳ線を通じて）提供されてもよい。いくつかの実施形態において、標準コネクタはマイクロＵＳＢ（Ｕｎｉｖｅｒｓａｌ  Ｓｅｒｉａｌ  Ｂｕｓ）コネクタであってもよいが、実施形態はいずれの特定のコネクタにも限定されず、また、たとえば、ＵＳＢプロトコルに対応する標準ＵＳＢまたはミニＵＳＢ接続またはヘッドフォンコネクタを含んでいてもよい。
【００１６】
いくつかの実施形態において、既存のマイクロＵＳＢコネクタで、直列化されたＨＤ（高解像度）映像および音声コンテンツを伝送するシステムまたは方法が提供される。しかしながら、別の実施形態では、方法はミニＵＳＢまたは標準ＵＳＢコネクタ、ヘッドフォンコネクタ、またはその他の種類の接続に適用してもよい。いくつかの実施形態において、直列化されたＨＤコンテンツはデジタル音声および／またはデジタル映像であってもよく、たとえばＨＤＭＩ（映像および音声データを提供）またはＤＶＩ（映像だけが含まれる）、Ｅｔｈｅｒｎｅｔ（登録商標）、ＳＡＴＡ（Ｓｅｒｉａｌ  Ａｄｖａｎｃｅｄ  Ｔｅｃｈｎｏｌｏｇｙ  Ａｔｔａｃｈｍｅｎｔ）、ＰＣＩ（Ｐｅｒｉｐｈｅｒａｌ  Ｃｏｍｐｏｎｅｎｔ  Ｉｎｔｅｒｆａｃｅ）−ｅｘｐｒｅｓｓまたはＵＳＢ３．０の高速レーン等である。
【００１７】
マイクロＵＳＢコネクタには５本の線、すなわちＶＢＵＳまたはＶＣＣ（＋５Ｖの電圧）、差動ペアであるＤ−およびＤ＋（データ＋と−）、ＩＤ（マイクロＵＳＢタイプＡとＢのコネクタを区別するものであり、ピンはマイクロＡコネクタについてはグランドに接続され、マイクロＢについては接続されない）、ＧＮＤ（信号線用グランド）／シェル）である。いくつかの実施形態において、マイクロＵＳＢコネクタは、複数のレーンの代替データ、たとえば直列化されたＨＤコンテンツ等を送信するために利用される。いくつかの実施形態において、電源および／またはバッテリ充電電流はまた、コネクタに連結された提示またはレンダリング機器からＶＢＵＳを通じて受け取られる。ミニＵＳＢコネクタもまた５本の線を含み、同様に代替データの伝送に利用してもよい。標準ＵＳＢコネクタは４本の線を含み、いくつかの実施形態において、線を多重化し、代替データを伝送するためにＵＳＢコネクタを再利用してもよい。
【００１８】
いくつかの実施形態において、装置またはシステムは接続の種類を検出して、検出された種類の接続のためのモードに切り替えてもよく、たとえば高解像度モード、ＵＳＢモードおよびその他あらゆる伝送モードの間で選択される。いくつかの実施形態において、検出工程は自動である。しかしながら、本発明の実施形態は、伝送モードのいずれの特定の種類または数にも限定されない。
【００１９】
図１は、標準コネクタへの接続として考えられるものの、ある実施形態の図である。この図において、携帯機器１０５はマイクロＵＳＢソケット１１０を含んでいてもよく、このソケットは、異なる伝送モードに切り替え、その伝送モードをサポートするための必要性に応じてソケット１１０のピンの割当を変更することによって、複数の目的に利用される。この図において、機器は各モードでケーブルを使用し、このケーブルは、携帯機器１０５のマイクロＵＳＢソケットと接続するための第一のマイクロＵＳＢコネクタ１１５を有するが、ケーブル区間１２０と第二のコネクタ１２５は別のタイプのデータ伝送に対応する。
【００２０】
たとえば、接続は、これらに限定されないが、携帯機器１０５に電源供給する充電器ケーブル１３０、データ伝送と機器充電のための標準ＵＳＢケーブル１３５、アナログＡ／Ｖ（音声／映像）ケーブルまたはヘッドフォン接続１４０、ＨＤＭＩ対応機器と接続するための、ＨＤＭＩタイプＡ等の高解像度デジタルテレビケーブル１４５、または高速データリンクに接続するためのＥｔｈｅｒｎｅｔケーブル１５０が含まれていてもよい。いくつかの実施形態において、携帯機器１０５は、機器がマイクロＵＳＢソケット１１０を通じて接続された場合に、接続の種類を検出してもよく、その接続をサポートするために適当なモードに自動的に切り替わってもよい。
【００２１】
図２は、標準コネクタを有する受信機器のための接続の、ある実施形態の図である。いくつかの実施形態において、他の機器との複数の種類の接続をサポートするために標準コネクタを利用する送信機器に加え、受信機器は他の機器との複数の接続のための標準コネクタを利用してもよい。
【００２２】
この図において、テレビ、ビデオモニタまたはその他の提示機器２０５は、１つまたはそれ以上の標準コネクタソケット２１０、たとえばＨＤＭＩ対応ソケット等を含んでいてもよく、これがコネクタ２１５（ＨＤＭＩ対応コネクタ等）を受け入れて、複数の種類の接続を提供する。この図において、提示機器２０５は、複数のプロトコルを通じてデータを受け入れられる状態にある受信機を含み、これらのプロトコルには、図２に示されるように、ＨＤＭＩ、ＭＨＬ、ＳＡＴＡTM（Ｓｅｒｉａｌ  ＡＴＡ）、ＥｔｈｅｒｎｅｔおよびＵＳＢが含まれる。
【００２３】
いくつかの実装例において、提示機器２１０は、ＨＤＭＩ対応ケーブル２２５を通じたビデオレコーダ、Ｂｌｕ−ＲａｙまたはＤＶＤプレイヤ、セットトップボックスまたはその他の機器等のＨＤＭＩソース機器２２０、ＭＨＬケーブル２３５を通じたスマートフォンまたはその他同様の機器等のモバイル高解像度機器２３０、ＳＡＴＡ対応ケーブル２４５を通じたＳＡＴＡ対応記憶機器２４０、Ｅｔｈｅｒｎｅｔ対応ケーブル２５５を通じ、またネットワークとのリンクのためのＥｔｈｅｒｎｅｔコネクタ２５０を含むＥｔｈｅｒｎｅｔネットワーク接続、またはＵＳＢ対応ケーブル２６５を通じたコンピュータ（ラップトップまたはネットブックコンピュータを含む）等のＵＳＢ接続２６０をサポートしてもよい。いくつかの実施形態において、図の機器のような機器は、ソケット２１０のいずれにもランダムに連結されてもよい。いくかの実施形態において、提示機器２０５は、取り付けられた信号フォーマットに関係なく、いずれかのＨＤＭＩソケットに接続されたリンクの種類を検出してもよく、そのリンクと適合するモードに自動的に切り替わってもよく、この場合、モード切替は、取り付けられたリンクをサポートするためにソケットをリマッピングし、再利用することを含む。いくつかの実施形態において、提示機器２０５はしたがって、複数のＨＤＭＩ対応ソケットを利用して、提示機器２０５に必要なあらゆる接続をサポートしてもよく、したがって機器に必要な物理的接続が単純となる。いくつかの実施形態において、提示機器２０５は、こうして、異なる通信プロトコルを利用する複数の機器を含むホームエンターテインメントネットワークの中央ハブとして動作してもよい。
【００２４】
図３は、マイクロＵＳＢコネクタのための高解像度データのマッピングの、ある実施形態を示す。この図において、マイクロＵＳＢコネクタまたはその他のコネクタを２つのモードに利用してもよく、２つのモードは、第一のモードである標準モード、または具体的には、この図においてはＵＳＢモード３０５と、高解像度ＭＨＬデータ等の代替シリアルコンテンツのための高解像度モード（または、一例においてはマイクロＭＨＬモードであってもよいＨＤモード）３１０である。しかしながら、本発明の実施形態は、これらの特定のモードに限定されず、またいずれの特定のモード数にも限定されない。図のように、ＵＳＢモード３０５では、ＵＳＢ接続であるＶＢＵＳ（機器のための電源および／またはバッテリ充電電流を提供してもよい）、データ−、データ＋、ＩＤおよびグランドが維持される。ＨＤモードでは、信号１番とＶＢＵＳ電圧がＶＢＵＳに、信号２番がデータ−に、信号３番がデータ＋に、信号４番がＩＤに、グランドがグランドにマッピングされる。
【００２５】
図４は、ＨＤＭＩ、ＭＨＬおよびマイクロＵＳＢ／ＭＨＬの間のデータマッピングの、ある実施形態を示す。図のように、ＨＤＭＩプロトコルに対応するＨＤＭＩコネクタ４０５は１９本のピンを有し、これには３つの差動データ信号（ＴＭＤＳ  Ｄ０＋とＴＭＤＳ  Ｄ０−、ＴＭＤＳ  Ｄ１＋とＴＤＭＳ  Ｄ１−、およびＴＭＤＳ  Ｄ２＋とＴＭＤＳ  Ｄ２−）が含まれる。ＭＨＬプロトコルに対応するＭＨＬコネクタ４１０では、複数のデータレーンが単一データレーンＴＭＤＳ（データ＋とデータ−）にまとめられている。次に、マイクロＵＳＢコネクタ４１５は、ＵＳＢモードとマイクロＭＨＬモードの２つのモードによる動作を提供する。データ、クロックおよびＣＢＵＳレーンで単一レーンＨＤＭＩを提供するＭＨＬ信号は、ＣＢＵＳを１本のピンに限定し、２本のピンを利用して差動信号を使って１本のレーンのデータを伝送することによって、マイクロＵＳＢにマッピングされる。この図において、マイクロＭＨＬモードは、信号１番が受信機からの＋５Ｖ４２０（これはモバイル機器の電源および／またはバッテリ充電電力を提供するために利用されてもよい）であり、信号２番と信号３番はＴＭＤＳデータ−、ＴＭＤＳクロック＋およびＴＭＤＳデータ＋４２５に利用され、信号４番はコントロールバス４３０であるようにマッピングされてもよい。いくつかの実施形態において、ＶＢＵＳ（電圧または電源バス）とグランドは、マイクロＵＳＢインタフェースでは変更されない。ＵＳＢのＤ−とＤ＋の線は、単一レーンのデータを差動信号として送信するために利用されてもよい。いくつかの実施形態において、ＣＬＫは、コモンモードの信号を使って別のレーンのトラフィックデータを伝送するのに利用されてもよい。
【００２６】
いくつかの実施形態において、高解像度モードは、標準ソケットまたはコネクタで代替シリアルデータを送信するために利用される。いくつかの実施形態において、ソケットまたはコネクタは、ＨＤモードで１本またはそれ以上のレーンのデータを送信するために利用されてもよい。いくつかの実装例において、ＨＤモードは、電源線で送信される信号の使用を含め、データの複数の差動レーンを提供するのに利用されてもよく、したがって、信号１番を使って、提供される電源に加えてデータを伝送する。いくつかの実施形態において、コモンモード信号は、差動信号だけを利用して提供されるもののほかにも追加のデータを提供するために利用されてもよい。たとえば、コモンモード信号が適用される場合、４本のピン（この例では信号１番から４番）が、追加の２本のデータレーンをサポートするために利用されてもよく、コモンモード信号は差動信号に追加して乗せて変調される。
【００２７】
いくつかの実施形態において、１本またはそれ以上のレーンのＨＤコンテンツは既存のコネクタのピン、たとえば既存の５ピンまたは６ピンのマイクロＵＳＢコネクタ等に送信され、その一方で、当初の信号を提供する能力は保持され、たとえばモーダル方式でＵＳＢ信号が保持される。いくつかの実施形態において、ＵＳＢコネクタのための新たな信号は、モードを切り替えることによって、たとえば当初のＵＳＢ信号モード（ＵＳＢモード）からＨＤモードに切り替えることによってサポートされる。ＵＳＢモードでは、ＵＳＢとの電気的および論理的適合性が守られ、その一方で、代替データがＨＤモードで提供される。
【００２８】
いくつかの実施形態において、モーダル方式は、アナログスイッチ、アナログマルチプレクサまたはこれと同様の、ＵＳＢ信号かＨＤ信号かの選択に利用される機器を含む。いくつかの実施形態において、切替は、接続の標準との適合性を保持するため、たとえば、追加された新しい信号とのＵＳＢの適合性を保持するために利用されてもよい。たとえば、「ＨＤモード」では、５ピン（ＶＢＵＳ、Ｄ−、Ｄ＋、ＩＤ、ＧＮＤおよびシールド）または６ピン（ＶＢＵＳ、Ｄ−、Ｄ＋、ＩＤ、ＧＮＤ、シールド）のインタフェースを使って、既存のマイクロＵＳＢコネクタで１本のレーンまたはそれ以上の直列化された信号を送信するために使用されてもよい。しかしながら、実施形態は２つのモードに限定されず、アナログスイッチで、たとえば、ＵＳＢモードとＨＤモードのほかにも追加の１つまたはそれ以上のモードに切り替えるようにしてもよい。
【００２９】
本明細書において、一般的な前提として、説明のために、ＨＤＭＩデータの単一データレーンが主要ＨＤコンテンツとして提供される。いくつかの実施形態において、データはＭＨＬデータとして提示されるが、ＨＤコンテンツはＭＨＬに限定されない。ＭＨＬの実装例において、ＭＨＬクロックレーンは、ＨＤＭＩのためのクロックレーンと同じであるが、ＨＤＭＩデータの３レーンが多重化されて、データの単一レーンが形成され、ＤＤＣ／ＣＥＣ／ＨＰＤが１本のコントロールバス（ＣＢＵＳ）信号線で送信される。しかしながら、ＨＤＭＩとＭＨＬの動作に関するすべての詳細を説明することは、本明細書の範囲外である。
【００３０】
図５は、クロック信号を含む信号のマッピングの、ある実施形態の図である。この特定の図において、機器の接続はＵＳＢモード５０５とマイクロＭＨＬモード５１０をサポートしていてもよい。この実装例において、ＨＤデータレーン（データ−とデータ＋）はＵＳＢデータ−とデータ＋にマッピングされ、コントロールバスはＵＳＢＩＤにマッピングされる。しかしながら、クロック信号ＣＬＫ  ５１５は、図５に示されるように、ＡＣカップリングを使用してＶＢＵＳレーンにマッピングされてもよい。このように、ＶＢＵＳは、電源および／またはバッテリ充電電流のための接続を提供することに加え、その他のデータを伝送するために変調される。
【００３１】
図６は、別のシェルを含むコネクタの高解像度モードとＵＳＢモードの、ある実施形態の図である。いくつかの実施形態において、ＵＳＢコネクタは、別のシェルを利用することによって追加の信号を提供してもよい。いくつかの実施形態において、シェルを利用することで、ＨＤモードで信号を送信するのに使用する別のピンを追加できる。シェルは他の接続より大きなキャパシタンスを有するため、シェルは信号線よりグランド信号として、よりよく利用されてもよいが、シェルの利用によって、グランド信号（図６の５番ピン）をＨＤモードのための別の信号として使用できる。この図において、マイクロＵＳＢコネクタは２つのモードで利用されてもよく、２つのモードとは、第一のモードとしての標準モード、または具体的にはこの図のＵＳＢモード６０５と、高解像度ＭＨＬデータ等の代替シリアルコンテンツのためのＨＤモード６１０である。図のように、ＵＳＢモード６０５は、ＵＳＢ接続のＶＢＵＳ、データ−、データ＋、ＩＤ、グランドおよびシェルを保持する。ＨＤモードに関しては、信号１番とＶＢＵＳ電圧はＶＢＵＳに、信号２番はデータ−に、信号３番はデータ＋に、信号４番はＩＤに、信号５番／グランドはＵＳＢグランドに、そしてシェルはグランドにマッピングされる。
【００３２】
いくつかの実施形態において、シェルをグランドとして、およびグランドを信号５番として使用することにより、信号伝送用の追加のピンが提供されるかもしれない。いくつかの実施形態において、追加のピンまたは信号を伝送に使えることにより、システムは、Ｄ−／Ｄ＋を利用して１本のＨＤデジタルストリームを提供し、ＩＤ／ＧＮＤを利用して、たとえばＭＨＬ用の別のＨＤデジタルストリームまたはＣＬＫを提供してもよい。別の実施形態において、コントロールバスＣＢＵＳは、Ｄ−／Ｄ＋またはＩＤ／ＧＮＤのどちらのコモンモードを使って実装してもよい。
【００３３】
図７は、ＵＳＢ接続とＨＤＭＩ接続の間の信号伝送の、ある実施形態の図である。図７において、ＵＳＢピン番号１から５とシェル７０５は、それぞれＵＳＢ信号のＶＢＵＳ、Ｄ−、Ｄ＋、ＩＤ、ＧＮＤとシールド７１０用として意図されているが、ＭＨＬ信号に関しては、それぞれＶＢＵＳ、ＴＭＤＳ−、ＴＭＤＳ＋およびＴＭＤＳ  ＣＬＫ＋（クロックはコモンモードとして変調される）、ＣＢＵＳ、ＧＤＮおよびシールド７１５として再利用される。したがって、モバイル機器のＵＳＢピンはＭＨＬのために再利用され、ＵＳＢデータピンはＭＨＬ  ＴＭＤＳデータとクロックのために再利用され、ＵＳＢ  ＩＤピンはＭＨＬ  ＣＢＵＳのために再利用される。ＭＨＬ信号は、ＵＳＢ  ＯＴＧ（Ｏｎ−Ｔｈｅ−Ｇｏ）モバイル機器のピンに印加される。機器はケーブルに接続され、ケーブルは、マイクロＵＳＢコネクタ７２０、ＭＨＬケーブル区間７２５、およびＨＤＭＩソケットと連結するためのＨＤＭＩコネクタ７３０を含む。このように、モバイル機器は、マイクロＵＳＢ（またはその他の）コネクタを通じて、ＭＨＬデータの受信に対応するＨＤＭＩ機器にＭＨＬデータを提供するために利用されてもよい。
【００３４】
図８は、複数の接続モードの中の１つのモードを選択するためのスイッチを有する機器の、ある実施形態の図である。この図において、機器８００は、マイクロＵＳＢコネクタ８０５を含み、これはピン１、ピン２、ピン３、ピン４、ピン５および、それらとともにシェル接続８１０を含む。この例において、ピン１は、ＶＢＵＳ（５Ｖ）として示される電源接続に利用されてもよく、ピン５とシェル接続はグランドに接続されていてもよい。ピン２、３、４は、複数の動作モードをサポートするために切り替えられる。モードを切り替えるために、機器８００はアナログスイッチ８１５を含み、ピン２、３、４を切り替え、したがって、マイクロＵＳＢコネクタ８０５のためのこれらの接続をリマッピングする。
【００３５】
この図において、ＵＳＢモードでは、アナログスイッチ８１５は、ピン２をデータＤ−に、ピン３をデータＤ＋に、およびピン４をＩＤに接続するように切り替えられ、これによって、ＵＳＢサブシステム８３５との接続をサポートする。いくつかの実施形態において、ＵＳＢモードがアナログスイッチ８１５のデフォルトモードであってもよい。機器８００は、ＭＨＬ送信機８２０をさらに含んでいてもよく、これは高解像度映像および音声データ８３０を送信する。ＭＨＬモードでは、アナログスイッチ８１５は、ピン２をＭＨＬデータ−とクロック（コモンモードを通じて）に、ピン３をＭＨＬデータ＋に、およびピン４をコントロールバスに接続するように切り替えられる。いくつかの実施形態において、アナログスイッチ８１５は、１つまたはそれ以上のその他のモードへの切替を提供してもよく、たとえばピン２、３、４が補助入力ピン８２５に接続され、補助入力ピンは、たとえば機器８００への音声入力であってもよい。
【００３６】
図９は、データを受信機器に送信する送信機器のための接続の、ある実施形態の図である。この図において、送信機９１５を含む送信機器９０５と受信機９４０を含む受信機器９１０は、ケーブル９３０を通じて相互に接続されている。送信機器９０５は、たとえば携帯機器であってもよく、これは、たとえばマイクロＵＳＢソケット等、データ送信のための標準接続を１つ有しているだけでもよい。送信機９１５は、たとえばＭＨＬ送信機であってもよく、ＭＨＬ送信機は送信機器９０５の１つの接続を通じてＭＨＬデータを送信する。送信機器９０５はスイッチ９２０をさらに含み、標準データ（ＵＳＢデータ等）を送信するための標準モードと、ＭＨＬコンテンツ等の高解像度映像および音声コンテンツの伝送に関する複数の信号を送信する、ＨＤモードを含んでもよい第二のモードとの間の切替えを行う。送信機器９０５は、マイクロＵＳＢコネクタ等、標準コネクタのためのソケット９４０を含む。受信機器９１０はコネクタのためのソケット９４５を含んでいてもよく、これには、たとえばＵＳＢコネクタまたはＭＨＬまたはＨＤＭＩコネクタのためのソケットが含まれていてもよい。この図において、送信機器９０５と受信機器９１０はケーブル９３０を通じて接続され、ケーブルは、送信機器９０５と接続するための、マイクロＵＳＢコネクタ等の標準コネクタ９２５と、ケーブル区間９３２と、受信機器９１０のための通信プロトコルに対応する第二のコネクタ９３５を有する。この図において、通信プロトコルはＵＳＢまたはＭＨＬであってもよい。いくつかの実施形態において、送信機器９０５は、送信機器９０５がケーブル９３０を通じて受信機器９１０に接続されたときに、関連する通信の種類を検出し、スイッチ９２０は適当なモードに切り替わり、ソケット９４０のピンを信号送信のための必要に応じてマッピングする。
【００３７】
図１０は、送信機器からのデータを受信する受信機器のための接続の、ある実施形態の図である。この図において、受信機１０４０を含む受信機器１０１０と、送信機１０１５を含む送信機器１００５は、ケーブル１０３０を通じて相互に接続されている。いくつかの実施形態において、送信機器１００５と受信機器１０１０は、コンテンツデータを伝送するためのシステムの少なくとも一部である。受信機器１０１０は、たとえば、テレビまたはビデオモニタ等の提示またはレンダリング機器であってもよく、これは複数のＨＤＭＩソケット等、１つまたはそれ以上の通信ソケット１０４５を含んでいてもよい。受信機１０４０は、たとえばＨＤＭＩレシーバであってもよい。受信機器１０１０は、第一のモードのデータを受信するため（ＨＤＭＩデータ用等）を受信する標準モードと代替データ、たとえばＥｔｈｅｒｎｅｔデータ等を受信するための第二のモードとの間で切り替えるためのスイッチ１０２０をさらに含む。送信機器１００５は、コネクタのためのソケット１０４０を含んでいてもよく、これは、たとえばＨＤＭＩコネクタまたはＥｔｈｅｒｎｅｔコネクタを含んでいてもよい。この図において、送信機器１００５と受信機器１０１０はケーブル１０３０を通じて接続され、ケーブルは受信機器１０１０と接続するための、ＨＤＭＩコネクタ等の標準コネクタ１０３５と、ケーブル区間１０３２と、送信機器１００５のための通信プロトコルに対応する第二のコネクタ１０２５を有する。いくつかの実施形態において、受信機器１０１０は、受信機器１０１０がケーブル１０３０を通じて送信機器１００５に接続されたとき、関連する通信の種類を検出し、スイッチ１０２０は適当なモードに切り替わり、ソケット１０４５のピンを信号受信のための必要に応じてマッピングする。
【００３８】
図１１は、信号を伝送するシステムの、ある実施形態を示すフローチャートである。この図において、送信機器を、マイクロＵＳＢコネクタ等の標準コネクタを通じて受信機器に接続する（１１０２）。送信機器は、受信機器のための送信プロトコルを検出してもよい（または受信機器が送信機器のための送信プロトコルを検出してもよい）（１１０４）。たとえば、接続がＵＳＢ接続であれば（１１０６）、送信機器はＵＳＢモードのままであり（１１０８）（たとえば、デフォルトモードがＵＳＢモードの場合）、マイクロＵＳＢコネクタを通じて標準ＵＳＢデータ信号を送信する（１１１０）。ＵＳＢ接続でなければ、送信機器はＨＤモードに切り替わってもよく（１１１２）、コネクタを通じて信号を送信する（１１１６）（または、別の関連モードに切り替わってもよい（１１１４））。送信は、たとえば、差動高解像度信号の送信（１１１８）と、差動信号に乗せたコモンモード信号の送信が可能であればその送信（１１２０）を含んでいてもよい。送信は、コネクタの電源接続上での、クロックまたは制御信号等の信号の送信（１１２２）をさらに含んでいてもよい。送信は、コネクタのグランド接続を追加の信号の送信に利用すること（１１２４）をさらに含んでいてもよい。
【００３９】
上の記述では、説明を目的として、本発明が完全に理解されるようにするために、多数の具体的な詳細事項を示した。しかしながら、当業者にとって明らかになることであるが、本発明はこれらの具体的な詳細事項のいくつかがなくても実施できる。別の例においては、周知の構造と機器がブロック図の形で示されている。図に示された構成要素の間に中間構造があってもよい。本明細書において文章または図で示された構成要素は、図または文章で示されていない、その他の入力または出力を有していてもよい。
【００４０】
本発明の各種の実施形態は、各種の工程を含んでいてもよい。これらの工程は、ハードウェア構成要素によって実行されてもよく、またコンピュータプログラムもしくは機械実行可能な命令として実施されてもよく、これは、その命令でプログラムされた汎用または特定用途プロセッサまたは論理回路に工程を実行させるのに使用してもよい。あるいは、工程は、ハードウェアとソフトウェアの組み合わせにより実行してもよい。
【００４１】
本発明の各種の実施形態の一部は、コンピュータプログラム製品として提供されてもよく、これには、その上にコンピュータプログラムの命令が記憶されたコンピュータ読取可能媒体が含まれてもよく、これはコンピュータ（またはその他の電子機器）を、本発明の実施形態による工程を実行するようにプログラムするために使用してもよい。機械読取可能媒体は、これらに限定されないが、フロッピー（登録商標）ディスケット、光ディスク、Ｃｏｍｐａｎｔ  Ｄｉｓｋ  Ｒｅａｄ−Ｏｎｌｙ  Ｍｅｍｏｒｙ（ＣＤ−ＲＯＭ）、および磁気光ディスク、Ｒｅａｄ−Ｏｎｌｙ  Ｍｅｍｏｒｙ（ＲＯＭ）、Ｒａｎｄｏｍ  Ａｃｃｅｓｓ  Ｍｅｍｏｒｙ（ＲＡＭ）、Ｅｒａｓａｂｌｅ  Ｐｒｏｇｒａｍｍａｂｌｅ  Ｒｅａｄ−Ｏｎｌｙ  Ｍｅｍｏｒｙ（ＥＰＲＯＭ）、Ｅｌｅｃｔｒｉｃａｌｌｙ−Ｅｒａｓａｂｌｅ  Ｐｒｏｇｒａｍｍａｂｌｅ  Ｒｅａｄ−Ｏｎｌｙ  Ｍｅｍｏｒｙ（ＥＥＰＲＯＭ）、磁気または光カード、フラッシュメモリまたは、電子命令の記憶に適したその他の種類の媒体／機械読取可能媒体等を含んでいてもよい。さらに、本発明はまた、コンピュータプログラム製品としてダウンロードしてもよく、この場合、プログラムは遠隔コンピュータから要求コンピュータに伝送されてもよい。
【００４２】
方法の多くは、その最も基本的な形態で説明したが、いずれの方法についても工程を追加または削除することができ、説明された文章のいずれについても情報を追加または削除することができ、そのようにしても本発明の基本的範囲から逸脱しない。当業者にとって明らかとなることであるが、多数のさらに別の変更や改良を加えることができる。特定の実施形態は、本発明を限定するためではなく、説明するために提供されたものである。本発明の実施形態の範囲は、上記の具体的な例ではなく、以下の特許請求範囲によってのみ判断されるものとする。
【００４３】
ある要素“Ａ”が要素“Ｂ”に連結されている、またはこれと連結されていると記載されている場合、要素Ａは要素Ｂに直接連結されても、たとえば要素Ｃを通じて間接的に連結されてもよい。明細書または特許請求の範囲に、ある構成要素、機能、構造、工程または特徴Ａが、ある構成要素、機能、構造、工程または特徴Ｂの「原因となる」と記載されている場合、これは、“Ａ”が“Ｂ”の少なくとも部分的な原因であり、“Ｂ”の原因となるのを助ける少なくとも１つのその他の構成要素、機能、構造、工程または特徴もあるかもしれないことを意味する。明細書に、構成要素、機能、構造、工程または特徴が含まれ「ていてもよい」、「るかもしれない」または「る可能性がある」と記載されている場合、その特定の構成要素、機能、構造、工程または特徴が含まれる必要はない。明細書または特許請求範囲に冠詞（“ａ”または“ａｎ”）が記されている場合、これはその要素が１つしかないことを意味するものではない。
【００４４】
ある実施形態は、本発明の実装例または例である。明細書における「ある実施形態」、「１つの実施形態」、「いくつかの実施形態」または「その他の実施形態」との記載は、その実施形態に関連して述べられた特定の機能、構造または特徴が、少なくともいくつかの実施形態に含められるが、必ずしもすべての実施形態に含まれるとは限らないことを意味する。「ある実施形態」、「１つの実施形態」または「いくつかの実施形態」が各所で出現しても、必ずしもすべてが同じ実施形態を示しているとは限らない。理解されるべき点として、本発明の例としての実施形態に関する上記の説明において、各種の機能は時々、開示を効率化し、本発明の各種の態様の１つまたはそれ以上の理解を助けることを目的として、それに関する１つの実施形態、図または説明にまとめられる。しかしながら、この開示方法は、特許請求された本発明が、各請求項内に明記されたもの以外の機能を必要とするとの意図を反映していると解釈されるべきではない。むしろ、以下の特許請求範囲が示すように、本発明の態様は、上記の実施形態の１つの中のすべての機能より少ない機能にも存在する。したがって、特許請求範囲はここに、本説明の中に明確に取り入れられるものとし、各請求項は本発明の別々の実施形態として個々に自立する。
以下、参考形態の例を付記する。
１．  標準コネクタを利用して第一の機器を第二の機器に接続するステップであって、前記コネクタは複数のピンを含むようなステップと、
前記第二の機器が標準モードで動作しているか、代替モードで動作しているかを検出するステップと、
前記第二の機器が前記代替モードで動作していることを検出したところで、前記標準コネクタの１つまたはそれ以上のピンを前記代替モード用に切り替え、前記標準コネクタの前記複数のピンを通じて前記代替モードのための信号を送信または受信するステップと、を含む方法。
２．  前記標準コネクタは第一のデータピンと第二のデータピンを含む、１．に記載の方法。
３．  前記信号は第一の信号を含み、前記第一の信号は、前記第一のピンと前記第二のピンを使用して伝送される第一の差動データ信号である、２．に記載の方法。
４．  前記信号は、前記第一の差動データ信号に追加して乗せて伝送されるコモンモード信号を含む、３．に記載の方法。
５．  前記コモンモード信号はクロック信号である、４．に記載の方法。
６．  前記コモンモード信号はコントロールバス信号である、４．に記載の方法。
７．  前記標準コネクタは第三のピンをさらに含み、前記第三のピンは電源線であり、前記電源線は電源、バッテリ充電電流またはその両方を提供する、３．に記載の方法。
８．  クロック信号は、前記第三のピンで電源信号を変調することによって伝送される、７．に記載の方法。
９．  前記標準コネクタは、識別のための第四のピンとグランドのための第五のピンをさらに含み、第二の信号は、前記第四のピンと前記第五のピンを通じて伝送される、３．に記載の方法。
１０．  前記第二の信号は第二の差動データ信号である、９．に記載の方法。
１１．  前記信号は、前記第二の差動信号に乗せて伝送される第二のコモンモード信号を含む、１０．に記載の方法。
１２．  前記第二のコモンモード信号はクロック信号である、１１．に記載の方法。
１３．  前記標準コネクタの前記ピンを切り替えるステップは、アナログスイッチに対して、前記標準コネクタに接続された線を、前記代替モードをサポートするように切り替えるように命令するステップを含む、１．に記載の方法。
１４．  第三のモードに切り替えるステップと、前記標準コネクタの前記ピンを前記第三のモード用に切り替えるステップをさらに含む、１．に記載の方法。
１５．  前記標準モードはＵＳＢ（Ｕｎｖｉｅｒｓａｌ  Ｓｅｒｉａｌ  Ｂｕｓ）モードである、１．に記載の方法。
１６．  前記代替モードは高解像度映像モードである、１５．に記載の方法。
１７．  装置であって、
標準コネクタのためのインタフェースを備え、前記装置は前記インタフェースを複数の線のために利用し、前記装置は前記インタフェースを通じて前記装置に接続された第二の装置の動作の伝送モードを検出することになっており、
前記インタフェースを複数の伝送モード間で切り替えるためのスイッチを備え、前記複数の伝送モードは第一のモードと第二のモードを含み、前記スイッチは前記第一のモードと前記第二のモードをサポートするために、前記複数の線の１つまたはそれ以上の接続を切り替え、前記装置は、前記第二の装置について前記第二のモードが検出された場合に、前記第二のモードに自動的に切り替わる、装置。
１８．  前記伝送モードの少なくとも１つにおいて、前記線で複数の信号を伝送するための送信機または受信機をさらに備える、１７．に記載の装置。
１９．  前記複数の線は第一のデータ線と第二のデータ線を含む、１７．に記載の装置。
２０．  前記複数の信号は、前記第一の線と前記第二の線で伝送される第一の信号を含み、前記第一の信号は第一の差動データ信号である、１９．に記載の装置。
２１．  前記複数の信号は、前記第一の差動データ信号に追加して乗せて送信される第一のコモンモード信号を含む、１９．に記載の装置。
２２．  前記第一のコモンモード信号はクロック信号である、２１．に記載の装置。
２３．  前記第一のコモンモード信号はコントロールバス信号である、２１．に記載の装置。
２４．  前記複数の線は、電源、バッテリ充電またはその両方を伝送する第三の線を含み、クロック信号は、前記第三の線の上で電源信号を変調することによって、前記第三の線で伝送される、１９．に記載の装置。
２５．  前記複数の線は、識別のための第四の線とグランドのための第五の線を含み、第二の信号は、前記第四の線と前記第五の線を通じて伝送される、２４．に記載の装置。
２６．  前記第二の信号は第二の差動データ信号である、２５．に記載の装置。
２７．  第二のコモンモード信号は前記第二の差動信号に乗せて伝送される、２６．に記載の装置。
２８．  前記第二のコモンモード信号はクロック信号である、２７．に記載の装置。
２９．  前記標準コネクタはシェルをさらに備え、前記シェルはグランド接続として利用されることになっている、１７．に記載の装置。
３０．  前記標準コネクタはマイクロＵＳＢ（Ｕｎｉｖｅｒｓａｌ  Ｓｅｒｉａｌ  Ｂｕｓ）コネクタであり、前記第一のモードはＵＳＢモードである、１７．に記載の装置。
３１．  前記第二のモードは高解像度モードであり、前記装置は、前記第二のモードにおいて前記複数の線で高解像度映像コンテンツを送信または受信することになっている、３０．に記載の装置。
３２．  データを受信する受信機器であって、インタフェースのための第一のソケットを含み、前記インタフェースは複数の線を含む受信機器と、
前記受信機器に複数の信号を伝送する送信機器であって、前記インタフェースを通じて前記受信機器と接続するための第二のソケットを含む送信機器と、
を備えるシステムであって、
前記受信機器、前記送信機器、または前記受信機器と前記送信機器の両方は、前記インタフェースを複数の伝送モードの間で切り替えるためのスイッチを含み、前記複数の伝送モードは第一のモードと第二モードを含み、前記スイッチは、前記第一のモードと前記第二のモードをサポートするために、前記複数の線の１つまたはそれ以上の接続を切り替え、前記受信機器または送信機器は、相手の機器について前記第二のモードが検出されたところで、前記第二のモードに自動的に切り替わる、システム。
３３．  前記第一のソケットまたは前記第二のソケットは標準ソケットであり、前記標準ソケットは、前記第二のモードでデータを伝送するために再利用される１つまたはそれ以上のピンを含む、３２．に記載のシステム。
３４．  前記標準ソケットは、前記第一のモードでのデータのための第一のピンと第二のピンを含み、これらは差動データ信号と、前記差動データ信号に追加して乗せて伝送されるコモンモード信号のために再利用される、３３．に記載のシステム。
３５．  前記コモンモード信号は、クロック信号またはコントロールバス信号の一方である、３４．に記載のシステム。
３６．  前記標準ソケットは、電源、バッテリ充電またはその両方の伝送のための第三のピンを含み、前記第三のピンは、前記第三のピン上で電源信号を変調することによってクロック信号を伝送するために再利用される、３３．に記載のシステム。
３７．  前記標準ソケットは、識別のための第四のピンとグランドのための第五のピンを含み、前記第四のピンと前記第五のピンは、前記第四のピンと前記第五のピンに印加される第二の差動信号の伝送のために再利用される、３３．に記載のシステム。
３８．  前記第一のソケットは前記標準ソケットであり、前記第一のソケットは、ＵＳＢTM（Ｕｎｉｖｅｒｓａｌ  Ｓｅｒｉａｌ  Ｂｕｓ）プロトコルに対応するソケットである、３３．に記載のシステム。
３９．  前記第二のソケットは前記標準ソケットであり、前記第二のソケットは、ＨＤＭＩTM（Ｈｉｇｈ−Ｄｅｆｉｎｉｔｉｏｎ  Ｍｕｌｔｉｍｅｄｉａ  Ｉｎｔｅｒｆａｃｅ）に対応するソケットである、３３．に記載のシステム。
４０．  ケーブルをさらに備え、前記ケーブルは、前記第一のソケットに対応する第一のコネクタと、前記第二のソケットに対応する第二のコネクタを含む、３３．に記載のシステム。
４１．  複数の線で第二の装置とインタフェースする手段と、
前記第二の装置の伝送モードを検出する手段であって、前記伝送は第一のモードと第二のモードを含む複数の伝送モードのうちの１つであるような手段と、
前記第二の装置についての前記検出された伝送モードに基づいて、前記第一のモードと前記第二のモードをサポートするために、前記複数の線のための１つまたはそれ以上の接続を自動的に切り替える手段と、
を備える装置。
【図１】
0005616897.tif 000002
【図２】
0005616897.tif 000003
【図３】
0005616897.tif 000004
【図４】
0005616897.tif 000005
【図５】
0005616897.tif 000006
【図６】
0005616897.tif 000007
【図７】
0005616897.tif 000008
【図８】
0005616897.tif 000009
【図９】
0005616897.tif 000010
【図１０】
0005616897.tif 000011
【図１１】
0005616897.tif 000012